(57)【要約】      （修正有）【課題】暖房運転と給湯運転と暖房給湯同時運転の各運転が可能な暖房給湯装置において、暖房給湯同時運転を行う加熱能力が不足していると判定される場合には、暖房給湯同時運転を禁止するように設定可能な暖房給湯装置を提供する。【解決手段】燃焼手段と、熱交換器１０と、熱交換器と外部の暖房端末とを接続する循環通路４と、循環通路から分岐されて暖房端末をバイパスするバイパス通路１２と、バイパス通路に設けられた給湯用熱交換器２０を備えた暖房給湯装置において、バイパス通路の分岐部には分配手段１５が設けられ、分配手段は暖房運転と給湯運転と暖房給湯同時運転の各運転が可能となるように分配比を調節可能であり、操作部６には前記暖房給湯同時運転を禁止する禁止スイッチを設けた。【選択図】図１
2018084392.tif 000002
【特許請求の範囲】
【請求項１】
燃焼手段と、熱交換器と、前記熱交換器と外部の暖房端末とを接続する循環通路と、前記循環通路に設けられた循環ポンプと、前記循環通路から分岐されて前記暖房端末をバイパスするバイパス通路と、前記バイパス通路に設けられた給湯用熱交換器と、前記給湯用熱交換器に上水を供給するための給水通路と、前記給湯用熱交換器で加熱された湯水を所定の給湯設定温度で給湯するための給湯通路と、これら複数の機器を利用する運転を制御する制御部と、前記制御部と通信可能に接続されて各種の操作を行うための操作部を備えた暖房給湯装置において、
前記バイパス通路の分岐部には分配手段が設けられ、前記分配手段は暖房運転と給湯運転と暖房給湯同時運転の各運転が可能となるように分配比を調節可能であり、
前記操作部には前記暖房給湯同時運転を禁止する禁止スイッチを設けたことを特徴とする暖房給湯装置。
【請求項２】
前記暖房給湯同時運転を行っているときに、暖房給湯同時運転を行う加熱能力が不足していると判定された場合には、前記禁止スイッチの操作を促す報知を行うことを特徴とする請求項１に記載の暖房給湯装置。
【請求項３】
前記暖房給湯装置は外気温度を検知する外気温度検知手段を備え、この外気温度検知手段により検知された外気温度が予め定められた基準温度以上の場合には、前記禁止スイッチの操作を無効にすることを特徴とする請求項１または２に記載の暖房給湯装置。
【請求項４】
前記禁止スイッチの操作により前記暖房給湯同時運転が禁止されている状態では、前記暖房運転よりも前記給湯運転が優先されることを特徴とする請求項１〜３のいずれか１項に記載の暖房給湯装置。
【発明の詳細な説明】
【技術分野】
【０００１】
本発明は、燃焼熱により暖房熱媒を加熱して暖房を行い、この暖房熱媒との熱交換により上水を加熱して給湯を行う暖房給湯装置に関し、特に暖房運転と給湯運転を同時に実行可能な暖房給湯装置に関する。
【背景技術】
【０００２】
従来から暖房運転と給湯運転を切り換えて実行可能な暖房給湯装置が広く利用されている。このような暖房給湯装置は、燃焼手段と、熱交換器と、この熱交換器と室内に設置された暖房端末を接続する循環通路と、循環通路に設けられた循環ポンプと、循環通路から分岐されて暖房端末をバイパスするバイパス通路等を備えている。循環通路とバイパス通路との分岐部には、暖房熱媒が循環通路またはバイパス通路を流れるように切換え可能な切換手段が設けられている。バイパス通路には給湯用熱交換器が設けられ、この給湯用熱交換器に上水を供給する給水通路と、この給湯用熱交換器から給湯栓等に給湯するための給湯通路が夫々接続されている。
【０００３】
循環ポンプの作動により流れる暖房熱媒は、熱交換器において燃焼手段の燃焼熱を利用して加熱される。暖房運転のときは、加熱された暖房熱媒を暖房端末で利用するために、暖房熱媒が循環通路を流れるように切換手段を切換える。加熱された暖房熱媒は循環通路を流れて暖房端末で放熱し、熱交換器に戻る。
【０００４】
給湯運転のときは、加熱された暖房熱媒を給湯用熱交換器で利用するために、暖房熱媒がバイパス通路を流れるように切換手段を切換える。給水通路から供給される上水は、給湯用熱交換器において暖房熱媒との熱交換により加熱される。給湯用熱交換器で上水と熱交換した暖房熱媒は熱交換器に戻る。給湯用熱交換器で加熱された湯水は、給湯通路を通って給湯栓等から給湯される。
【０００５】
このように暖房運転と給湯運転を切り換えて行う暖房給湯装置は、暖房運転と給湯運転を同時に行うことができないという問題があり不便である。
【０００６】
そのため、既に本出願人は、暖房熱媒の分配手段の分配比を調節して暖房運転と給湯運転を同時に行う暖房給湯同時運転が可能な暖房給湯装置を提案している（特願２０１６−１４６５９４号等）。この暖房給湯同時運転が可能な暖房給湯装置は、暖房運転中に給湯が開始されると出湯温度等に基づいて暖房給湯同時運転の可否を判定する。同時運転可能と判定されれば暖房給湯同時運転を行い、同時運転不可能と判定されれば給湯運転を行う。
【０００７】
また、暖房熱媒との熱交換により加熱した湯水を給湯する暖房給湯装置ではないが、暖房熱媒との熱交換により風呂水を加熱するように構成された特許文献１の風呂追焚機能付き暖房給湯装置が知られている。この風呂追焚機能付き暖房給湯装置は、暖房運転と風呂追焚き運転を同時に行っているときに、暖房端末に向かう暖房熱媒の温度が基準温度未満に低下した場合には、風呂追焚き運転と暖房運転に分配する暖房熱媒の流量比を調節してどちらか一方を優先させる。
【先行技術文献】
【特許文献】
【０００８】
【特許文献１】特許第５９６２３０３号公報
【発明の概要】
【発明が解決しようとする課題】
【０００９】
しかし、この暖房給湯同時運転が可能な暖房給湯装置は、暖房給湯同時運転中に給湯流量が増加して給湯負荷が上昇する場合等において、暖房給湯同時運転を行う加熱能力が不足する虞がある。また、この暖房給湯装置が設置される環境や気候によっては、暖房給湯同時運転を行う加熱能力に余裕がなく、加熱能力不足の状態になり易い場合がある。
【００１０】
加熱能力不足の状態は、給湯流量の低下や給湯設定温度より低温の給湯になることにより、給湯使用者にとって不便であったり不快感を与えたりするため好ましくない。また、特許文献１のように加熱能力不足を判定してどちらか一方の運転を優先するとしても、暖房給湯同時運転をする度に加熱能力不足と判定されるまで不快感を与える虞がある。
【００１１】
本発明の目的は、暖房運転と給湯運転と暖房給湯同時運転の各運転が可能な暖房給湯装置において、暖房給湯同時運転を行う加熱能力が不足していると判定される場合には、暖房給湯同時運転を禁止するように設定可能な暖房給湯装置を提供することである。
【課題を解決するための手段】
【００１２】
第１の発明は、燃焼手段と、熱交換器と、前記熱交換器と外部の暖房端末とを接続する循環通路と、前記循環通路に設けられた循環ポンプと、前記循環通路から分岐されて前記暖房端末をバイパスするバイパス通路と、前記バイパス通路に設けられた給湯用熱交換器と、前記給湯用熱交換器に上水を供給するための給水通路と、前記給湯用熱交換器で加熱された湯水を所定の給湯設定温度で給湯するための給湯通路と、これら複数の機器を利用する運転を制御する制御部と、前記制御部と通信可能に接続されて各種の操作を行うための操作部を備えた暖房給湯装置において、前記バイパス通路の分岐部には分配手段が設けられ、前記分配手段は暖房運転と給湯運転と暖房給湯同時運転の各運転が可能となるように分配比を調節可能であり、前記操作部には前記暖房給湯同時運転を禁止する禁止スイッチを設けたことを特徴としている。
【００１３】
上記構成によれば、禁止スイッチの操作により暖房給湯同時運転を禁止設定することができる。そのため、禁止スイッチの操作の後は暖房給湯同時運転の加熱能力不足の状態にならないので、給湯使用者に与える不便や不快感を軽減することができる。
【００１４】
第２の発明は、第１の発明において、前記暖房給湯同時運転を行っているときに、前記暖房給湯同時運転を行う加熱能力が不足していると判定された場合には、前記禁止スイッチの操作を促す報知を行うことを特徴としている。
【００１５】
上記構成によれば、暖房給湯同時運転を行う加熱能力が不足していると判定された後は、禁止スイッチ操作を促して加熱能力不足にならないように案内することができる。従って、加熱能力不足を回避する手段を取るために有利である。
【００１６】
第３の発明は、第１または第２の発明において、前記暖房給湯装置は外気温度を検知する外気温度検知手段を備え、この外気温度検知手段により検知された外気温度が予め定められた基準温度以上の場合には、前記禁止スイッチの操作を無効にすることを特徴としている。
【００１７】
外気温度が基準温度以上に暖かい場合には、暖房負荷が小さい。従って暖房給湯同時運転の加熱能力不足の状態にならないので、暖房給湯同時運転を禁止する必要がない。そのため上記構成によれば、外気温度が基準温度以上の場合には、禁止スイッチの操作を無効にすることにより暖房給湯同時運転を許可する設定を維持して利便性を向上することができる。
【００１８】
第４の発明は、第１〜第３の発明において、前記禁止スイッチの操作により前記暖房給湯同時運転が禁止されている状態では、前記暖房運転よりも前記給湯運転が優先されることを特徴としている。
【００１９】
上記構成によれば、給湯運転が優先されることにより給湯使用者の不便や不快感を軽減することができる。
【発明の効果】
【００２０】
本発明によれば、暖房運転と給湯運転と暖房給湯同時運転の各運転が可能な暖房給湯装置において、暖房給湯同時運転を行う加熱能力が不足していると判定される場合には、暖房給湯同時運転を禁止するように設定可能な暖房給湯装置を提供することができる。
【図面の簡単な説明】
【００２１】
【図１】本発明の暖房給湯装置の概略図である。
【図２】操作端末の正面図である。
【図３】禁止スイッチ操作時の暖房給湯同時運転許可設定の表示の１例を示す図である。
【図４】禁止スイッチ操作時の暖房給湯同時運転禁止設定の表示の１例を示す図である。
【発明を実施するための形態】
【００２２】
以下、本発明を実施するための形態について実施例に基づいて説明する。
【実施例】
【００２３】
最初に、本発明の暖房給湯装置１の全体構成について、図１に基づいて説明する。
暖房給湯装置１は、燃焼部２で発生した熱を利用して加熱した暖房熱媒を、暖房給湯装置１外部の室内に設置された暖房端末（図示略）との間で循環させて暖房運転を行い、暖房熱媒の熱を利用して加熱した上水を給湯設定温度に調節して給湯する給湯運転を行うように構成されている。
【００２４】
暖房給湯装置１は、燃焼手段である燃焼部２と、熱交換器１０と、この熱交換器１０と室内に設けられた暖房端末を接続する循環通路４と、循環通路４の熱交換器１０より上流側に設けられた循環ポンプ１１等を備えている。燃焼部２は、燃料ガスを空気と混合して燃焼させる。熱交換器１０は、燃焼部２で発生した燃焼ガスと暖房熱媒との間で熱交換させて暖房熱媒を加熱する。
【００２５】
また、暖房給湯装置１は、バイパス通路（第１バイパス通路１２）と、この第１バイパス通路１２に設けられた給湯用熱交換器２０と、給水通路１９と、給湯通路２１等を備えている。第１バイパス通路１２は、熱交換器１０の下流側で循環通路４から分岐されて暖房端末をバイパスし、循環ポンプ１１の上流側で循環通路４に合流する。給水通路１９は、給湯用熱交換器２０に上水を供給する。給湯通路２１は、給湯用熱交換器２０で加熱された湯水を給湯栓等に給湯する。
【００２６】
さらに、暖房給湯装置１は制御部５を備え、この制御部５を含む上記機器等がケース９に収容されている。制御部５は、後述の温度センサ等の検知信号を受信すると共に、循環ポンプ１１や第１分配弁１５等を作動させて暖房運転や給湯運転等を制御する。暖房給湯装置１の操作部である操作端末６は、暖房端末が設置された室内に配置されている。外気温度検知手段である外気温度センサ３０は、屋外に設置されて制御部５と通信可能に接続されている。
【００２７】
次に、循環通路４について説明する。
循環通路４には、循環ポンプ１１と熱交換器１０の間に第１温度センサ１３が設けられ、熱交換器１０の下流側には、第２温度センサ１４が設けられている。第１温度センサ１３は、熱交換器１０に流入する暖房熱媒の温度を検知する。第２温度センサ１４は、熱交換器１０で加熱された暖房熱媒の温度を検知する。
【００２８】
循環通路４と第１バイパス通路１２の分岐部には、分配手段である第１分配弁１５が設けられている。第１分配弁１５は、熱交換器１０で加熱された暖房熱媒を循環通路４と第１バイパス通路１２に分配し、その分配比は調節可能である。
【００２９】
熱交換器１０と第１分配弁１５の間には、循環通路４内の圧力を開放する圧力開放弁１６が設けられている。循環ポンプ１１の上流側には、暖房端末から戻ってくる暖房熱媒の温度を検知する暖房戻り温度センサ１７が設けられている。循環ポンプ１１と暖房戻り温度センサ１７の間には、暖房熱媒を補充するための補充通路１８が接続されている。
【００３０】
次に、給湯用熱交換器２０について説明する。
第１バイパス通路１２に設けられた給湯用熱交換器２０は、プレート式熱交換器である。プレート式熱交換器は、複数枚の熱交換プレートが積層されて熱交換プレート間に通路が形成されている。給湯用熱交換器２０内では、暖房熱媒と給水通路１９から供給される上水が互いに混ざり合うことなく対向するように熱交換プレート間の通路を一つ置きに流れる。これらの熱交換プレートには、表面積を拡大して熱交換効率を向上させるために凹凸が形成されている。
【００３１】
次に、給水通路１９と給湯通路２１について説明する。
給水通路１９には、第２分配弁２３と、流量調整弁２４と、給湯流量センサ２５と、入水温度センサ２６が設けられている。第２分配弁２３は、給水通路１９と、この第２分配弁２３において給水通路１９から分岐された給湯バイパス通路（第２バイパス通路２２）に上水を分配し、その分配比を調節可能である。従って、第２分配弁２３は、第２バイパス通路２２を流れる上水の流量を調整する流量調整手段になっている。流量調整弁２４は、第２分配弁２３に入水する上水の流量を調整する。給湯流量センサ２５は、その調整された上水の流量を検知する。入水温度センサ２６は第２分配弁２３に入水する上水の温度を検知する。
【００３２】
給湯通路２１は、第２バイパス通路２２と合流部Ｃにおいて合流する。合流部Ｃと、給湯用熱交換器２０との間には、温度検知手段である出湯温度センサ２７が設けられている。この出湯温度センサ２７は、給湯用熱交換器２０から出湯される湯水の温度を検知する。
【００３３】
給湯通路２１の下流側端部には、給湯温度センサ２８が設けられている。この給湯温度センサ２８は、給湯用熱交換器２０で加熱された湯水と第２バイパス通路２２を流れる上水とが混合された湯水の給湯温度を検知する。
【００３４】
次に、制御部５及び操作端末６について説明する。
制御部５は、図示を省略するが、暖房給湯装置１内に設けられた温度センサ等の検知信号を受信可能に、且つ循環ポンプ１１や第１分配弁１５等を制御可能に接続されている。室内に配置された操作端末６は、この制御部５と通信可能に接続されている。図２に示すように、操作端末６は、例えば温度や運転状況等を表示可能な表示手段７と、暖房温度や給湯温度の設定操作や暖房運転の開始操作等を行うためのスイッチ部８と、図示しないが警報音等を出力する音声出力部を備えている。
【００３５】
表示手段７は、数字“１”の表示器７ａと、この表示器７ａの右側に３つの７セグメント表示器７ｂ，７ｄ，７ｅと、７セグメント表示器７ｂ，７ｄの間に記号“：”（コロン）の表示部７ｃを有している。７セグメント表示器７ｂ，７ｄ，７ｅは、夫々０〜９の数字やアルファベットを表示可能である。
【００３６】
また、表示手段７は、温度の単位を表示する華氏表示部７ｆと摂氏表示部７ｇと、燃焼部２の燃焼を表示する燃焼表示部７ｈと、暖房運転を表示する暖房表示部７ｉと、給湯運転を表示する給湯表示部７ｊ等を有している。暖房表示部７ｉは、第１分配弁１５が暖房熱媒を循環通路４側に分配して循環させている間は、例えば橙色で表示される。給湯表示部７ｊは、給湯通路２１に設けられた給湯流量センサ２５が所定流量以上の流量を検知している間は、例えば橙色で表示される。
【００３７】
スイッチ部８には、設定項目を切り換えるファンクションスイッチ８ａ、設定項目中の選択肢や数値等を選択するための選択スイッチ８ｂ，８ｃ、入力スイッチ８ｄ等、複数のスイッチが設けられている。尚、各スイッチはプッシュ式のスイッチであるが、ロータリ式やスライド式のスイッチが設けられていてもよい。
【００３８】
ファンクションスイッチ８ａは、暖房給湯装置１の複数の設定項目の状態を操作毎に１つずつ順に切換えて表示手段７に表示する。ファンクションスイッチ８ａを例えば１回操作すると、図３に示すように７セグメント表示器７ｂに暖房給湯同時運転の設定を示す設定項目番号“１”が表示され、７セグメント表示器７ｄ，７ｅに暖房給湯同時運転を許可する設定を示す“ｏｎ”が表示される。このとき設定項目に対応する暖房表示部７ｉと給湯表示部７ｊを表示させてもよく、これらの表示は設定変更操作中には点滅表示させてもよい。
【００３９】
ここで選択スイッチ８ｂまたは選択スイッチ８ｃを１回操作すると、図４に示すように７セグメント表示器７ｄ，７ｅに暖房給湯同時運転を禁止する設定を示す“ｏＦ”（ｏｆｆを意味する）が表示される。入力スイッチ８ｄを操作すると変更した設定が反映されて、例えば暖房設定温度等の表示に戻る。同様の操作により暖房給湯同時運転を禁止する設定を暖房給湯同時運転を許可する設定に変更することができる。
【００４０】
このように複数のスイッチを組み合わせて暖房給湯同時運転を禁止する禁止スイッチが構成されているが、暖房給湯同時運転の禁止の設定をするための専用の禁止スイッチを設けてもよい。尚、表示手段７は、上記表示内容と同様の内容を表示可能である表示装置、例えばドットマトリックス式の液晶表示装置等であってもよく、スイッチ部８も表示手段７に表示されてタッチ操作可能に構成されていてもよい。
【００４１】
次に、暖房給湯装置１の作用、効果について図１、図２に基づいて説明する。
暖房給湯装置１は、ここでは暖房給湯同時運転を許可する設定であり、暖房運転を実行しているものとする。このとき表示手段７には、暖房設定温度が表示されていると共に、燃焼表示部７ｈと暖房表示部７ｉが表示されている。
【００４２】
暖房運転中に給湯栓等の開栓により給湯流量センサ２５が所定の流量以上の流量を検知すると、給湯運転が開始される。制御部５は、暖房熱媒を第１バイパス通路１２にのみ循環させるように第１分配弁１５を調節する。給湯される湯水は、給湯用熱交換器２０で暖房熱媒との熱交換により加熱される。また、制御部５は、給湯設定温度の湯水を給湯するために第２分配弁２３の分配比を調節する。そのため、給湯設定温度の給湯を早く行うことができる。このとき、表示手段７には、給湯設定温度と給湯表示部７ｊが表示され、暖房表示部７ｉの表示は非表示となる。
【００４３】
制御部５は、給湯設定温度や出湯温度センサ２７により検知された出湯温度等に基づいて暖房給湯同時運転が可能か否か判定する。暖房給湯同時運転ができないと判定するとそのまま給湯運転を行い、給湯使用が終わったら暖房運転に戻る。
【００４４】
一方、暖房給湯同時運転可能と判定すると、第１分配弁１５の分配比を調節して暖房端末側へ暖房熱媒を分配する。このとき、表示手段７に暖房表示部７ｉが再表示され、給湯表示部７ｊとの同時表示により暖房給湯同時運転が行われていることが表示される。また、表示手段７には、給湯設定温度と暖房設定温度を交互に表示されるが、どちらか一方が表示されるように選択可能であってもよい。
【００４５】
暖房給湯同時運転中は、第１分配弁１５の分配比に基づいて加熱能力を判定する。暖房給湯同時運転中に給湯流量が増えると、第１分配弁１５は、給湯温度の低下を防ぐために給湯側の第１バイパス通路１２に分配される暖房熱媒を増やし、暖房側の循環通路４に分配される暖房熱媒を減らす。暖房側が所定の分配比（例えば、暖房側：給湯側＝１：９）より小さい状態が所定期間（例えば３秒間）以上継続する場合には、加熱能力不足と判定する。
【００４６】
一方、暖房給湯同時運転中に暖房設定温度を上げた場合や、室温が急激に下がった場合等には暖房負荷が大きくなる。このとき第１分配弁１５は、暖房側の循環通路４に分配される暖房熱媒を増やし、給湯側の第１バイパス通路１２に分配される暖房熱媒を減らす。給湯側が所定の分配比（例えば、暖房側：給湯側＝９：１）より小さい状態が所定期間（例えば３秒間）以上継続する場合には、加熱能力不足と判定する。
【００４７】
暖房給湯同時運転の加熱能力不足と判定された場合には給湯運転が優先される。このとき操作端末６において、例えば表示手段７の暖房表示部７ｉを赤色表示させると共に音声等を出力する。これにより暖房と給湯の使用者に、暖房給湯同時運転を行う加熱能力が不足している状態と、この状態を回避するため暖房給湯同時運転の禁止を設定する禁止スイッチの操作を促す報知をする。加熱能力不足にならないように案内するので、給湯または暖房の使用者が加熱能力不足を回避する手段を取るために有利である。尚、使用者は、禁止スイッチ操作の他に、暖房運転停止や給湯流量低減等の回避手段を取ることができる。
【００４８】
一方、設置環境や気候によって暖房給湯同時運転の加熱能力に余裕がない場合には、一旦加熱能力不足と判定された後は、暖房給湯同時運転する度に加熱能力不足と判定されることが予想される。この場合、禁止スイッチを操作して暖房給湯同時運転を禁止することができるので、暖房給湯同時運転を禁止した後は給湯運転が優先されて加熱能力不足と判定されることがなく、給湯使用者に与える不便や不快感を軽減することができる。また、この加熱能力不足の判定の度に使用者への報知を行って煩わしさや不快感を与えることがない。さらに、給湯使用時に、給湯流量の増加等に対応できるように加熱能力に余裕を持たせておくことができる。
【００４９】
外気温度センサ３０により検知された外気温度が予め定められた基準温度以上の場合には、暖房負荷が小さくなるため暖房給湯同時運転の加熱能力が不足し難い。そのため、暖房給湯同時運転を禁止する必要がない。従って、外気温度が予め定められた基準温度以上の場合には、禁止スイッチが操作されてもこの操作を無効にして暖房給湯同時運転が許可された状態を維持することができる。尚、暖房給湯同時運転が禁止された状態を許可された状態にする禁止スイッチ操作は無効にしない。
【００５０】
次に、上記実施例を部分的に変更した例について説明する。
［１］暖房給湯同時運転を許可する時間帯または禁止する時間帯を設定して、加熱能力不足になり易い時間帯での暖房給湯同時運転を禁止するように構成してもよい。この構成により、暖房負荷と給湯負荷が大きくなる例えば朝の時間帯において暖房給湯同時運転を禁止して、給湯使用者の不便や不快感を軽減することができる。
［２］暖房給湯同時運転の可否を判定せずに暖房給湯同時運転を開始して加熱能力の判定を行うようにすることもできる。
［３］その他、当業者であれば、本発明の趣旨を逸脱することなく、前記実施形態に種々の変更を付加した形態で実施可能であり、本発明はそのような変更形態を包含するものである。
【符号の説明】
【００５１】
１    暖房給湯装置
２    燃焼部（燃焼手段）
４    循環通路
５    制御部
６    操作端末（操作部）
７    表示手段
７ｂ〜７ｄ  ７セグメント表示部
７ｉ  暖房表示部
７ｊ  給湯表示部
１０  熱交換器
１１  循環ポンプ
１２  第１バイパス通路（バイパス通路）
１５  第１分配弁（分配手段）
１９  給水通路
２０  給湯用熱交換器
２１  給湯通路
３０  外気温度センサ（外気温度検知手段）
【図１】
2018084392.tif 000003
【図２】
2018084392.tif 000004
【図３】
2018084392.tif 000005
【図４】
2018084392.tif 000006